(57)【特許請求の範囲】
【請求項１】
供給される複数の紙葉類をｎ個の区分部に区分して集積する紙葉類処理装置において、
上記複数の紙葉類を一葉づつ取出す取出し手段と、
この取出し手段で取出された紙葉類から区分情報を読取る読取手段と、
この読取手段により読取られた区分情報を上記複数の紙葉類が上記ｎ個の区分部に略均等に集積されるような均等区分情報に変換する変換手段と、
上記変換手段により得られた均等区分情報に基づいて上記紙葉類を所定の区分部に区分する区分手段と、
上記区分情報に対する区分番号を関連づける区分指定テ−ブルを記憶する記憶手段とを具備し、
上記変換手段は、上記読取手段で読取られた区分情報を上記区分指定テ−ブルを参照して得られた区分番号を上記供給された紙葉類順に判定結果テ−ブルに記憶し、この判定結果テ−ブルに記憶された区分番号の小さい順から連続的番号とする配達順番番号に変換した後上記供給された紙葉類順に配達順番テ−ブルとして記憶させ、この配達順番テ−ブルに記憶される配達順番番号を上記複数の紙葉類が上記ｎ個の区分部に略均等に集積されるように最上位桁を決定するようにしてＸ桁のｎ進数からなる上記均等区分情報に変換することを特徴とする紙葉類処理装置。
【請求項２】
供給される複数の紙葉類をｎ個の区分部に区分して集積する紙葉類処理装置において、
上記複数の紙葉類を一葉づつ取出す取出し手段と、
この取出し手段で取出された紙葉類から区分情報を読取る読取手段と、
この読取手段により読取られた区分情報を上記複数の紙葉類が上記ｎ個の区分部に略均等に集積されるようなｎ進の均等区分情報に変換する変換手段と、
上記変換手段により得られた均等区分情報に基づいて上記紙葉類を所定の区分部に区分する区分手段と、
を具備したことを特徴とする紙葉類処理装置。
【請求項３】
上記区分情報に対する区分番号を関連づける区分指定テ−ブルを記憶する記憶手段を備え、
上記変換手段は、上記読取手段で読取られた区分情報を上記区分指定テ−ブルを参照して得られた区分番号を上記供給された紙葉類順に判定結果テ−ブルに記憶し、この判定結果テ−ブルに記憶された区分番号を上記複数の紙葉類が上記ｎ個の区分部に略均等に集積されるような均等区分情報に変換することを特徴とする請求項２記載の紙葉類処理装置。
【請求項４】
上記区分情報に対する区分番号を関連づける区分指定テ−ブルを記憶する記憶手段を備え、
上記変換手段は、上記読取手段で読取られた区分情報を上記区分指定テ−ブルを参照して得られた区分番号を上記供給された紙葉類順に判定結果テ−ブルに記憶し、この判定結果テ−ブルに記憶された区分番号の小さい順から連続的番号とする配達順番番号に変換して上記供給された紙葉類順に配達順番テ−ブルとして記憶させ、その配達順番番号に基づいて上記複数の紙葉類が上記ｎ個の区分部に略均等に集積されるような均等区分情報に変換することを特徴とする請求項２記載の紙葉類処理装置。
【請求項５】
上記区分情報に対する区分番号を関連づける区分指定テ−ブルを記憶する記憶手段を備え、
上記変換手段は、上記読取手段で読取られた区分情報を上記区分指定テ−ブルを参照して得られた区分番号を上記供給された紙葉類順に判定結果テ−ブルに記憶し、この判定結果テ−ブルに記憶された区分番号の小さい順から連続的番号とする配達順番番号に変換した後上記供給された紙葉類順に配達順番テ−ブルとして記憶させ、この配達順番テ−ブルに記憶される配達順番番号を上記複数の紙葉類が上記ｎ個の区分部に略均等に集積されるように最上位桁を決定するようにしてＸ桁のｎ進数からなる上記均等区分情報に変換することを特徴とする請求項２記載の紙葉類処理装置。
【請求項６】
供給される複数の紙葉類をｎ個の区分部に区分して集積する紙葉類処理装置において、
上記複数の紙葉類を一葉づつ取出す取出し手段と、
この取出し手段で取出された紙葉類から区分情報を読取る読取手段と、
この読取手段により得られた区分番号を紙葉類が上記ｎ個の区分部に略均等に集積されるようなｎ進の均等区分情報に変換する変換手段と、
上記変換手段により得られた均等区分情報に基づいて上記紙葉類を所定の区分部に区分する区分手段と、
上記取出し手段、読取手段、および区分手段を通って延びる搬送路を介して紙葉類を搬送する搬送手段と、
を具備したことを特徴とする紙葉類処理装置。
【請求項７】
上記区分情報に対する区分番号を関連づける区分指定テ−ブルを記憶する記憶手段を備え、
上記変換手段は、上記読取手段で読取られた区分情報を上記区分指定テ−ブルを参照して得られた区分番号を上記供給された紙葉類順に判定結果テ−ブルに記憶し、この判定結果テ−ブルに記憶された区分番号を上記複数の紙葉類が上記ｎ個の区分部に略均等に集積されるような均等区分情報に変換することを特徴とする請求項６記載の紙葉類処理装置。
【請求項８】
上記区分情報に対する区分番号を関連づける区分指定テ−ブルを記憶する記憶手段を備え、
上記変換手段は、上記読取手段で読取られた区分情報を上記区分指定テ−ブルを参照して得られた区分番号を上記供給された紙葉類順に判定結果テ−ブルに記憶し、この判定結果テ−ブルに記憶された区分番号の小さい順から連続的番号とする配達順番番号に変換して上記供給された紙葉類順に配達順番テ−ブルとして記憶させ、その配達順番番号に基づいて上記複数の紙葉類が上記ｎ個の区分部に略均等に集積されるような均等区分情報に変換することを特徴とする請求項６記載の紙葉類処理装置。
【請求項９】
上記区分情報に対する区分番号を関連づける区分指定テ−ブルを記憶する記憶手段を備え、
上記変換手段は、上記読取手段で読取られた区分情報を上記区分指定テ−ブルを参照して得られた区分番号を上記供給された紙葉類順に判定結果テ−ブルに記憶し、この判定結果テ−ブルに記憶された区分番号の小さい順から連続的番号とする配達順番番号に変換した後上記供給された紙葉類順に配達順番テ−ブルとして記憶させ、この配達順番テ−ブルに記憶される配達順番番号を上記複数の紙葉類が上記ｎ個の区分部に略均等に集積されるように最上位桁を決定するようにしてＸ桁のｎ進数からなる上記均等区分情報に変換することを特徴とする請求項６記載の紙葉類処理装置。
【発明の詳細な説明】
【０００１】
【発明の属する技術分野】
本発明は、紙葉類を区分集積する紙葉類処理装置に係り、特に、郵便物の配達順組立をする紙葉類処理装置に関する。
【０００２】
【従来の技術】
従来、郵便物の道順組立をする紙葉類処理装置は、複数の郵便物（例えば１０００通の郵便物）の後端を揃えて立位状態で収容する供給部と、供給部内の郵便物を一葉づつ取出す取出し部と、取出された郵便物に記録された区分情報を読取る読取部と、読取られた区分情報に基づいて郵便物を区分集積する区分集積部とを備えている。
【０００３】
区分集積部は、郵便物を搬送する搬送路に沿って複数の区分ポケットを有し、末端の区分ポケットは、区分位置を見失った郵便物を集積するリジェクトポケットとして用いられている。
【０００４】
ところで、全ての区分情報に対する区分番号として配達順番号を１０進数で記憶しているデ−タベ−スがあり、このデ−タベ−スを参照して、上記読取部で読取られた区分情報に対応する配達順番が決定される。
【０００５】
そして、この配達順番を区分ポケット数１２に等しい１２進数に変換して、例えば３桁の１２進数の配達順番番号に変換していた。
そして、取出し部にて取出された郵便物は、読取部にて配達順番番号の１桁目が読取られ、この番号に基づいて所定の区分ポケットへ区分集積される。この際、シフトミスやジャム等により区分先を見失った郵便物は、リジェクトポケットに一端集積される。
【０００６】
以上のように、供給部に収納された全ての郵便物の１回目の区分作業が終了されると、リジェクトポケット以外のポケット内の郵便物がその順序を変えずに一斉に供給部へ移載され、２回目の区分作業が実行される。そして、１回目と同様に２回目の区分作業が実行された後、リジェクトポケット以外のポケット内の郵便物が供給部に移載され、３回目の区分作業が実行される。尚、２回目の区分作業では２桁目の配達順番番号に基づいて郵便物を区分し、３回目の区分作業では３桁目の配達順番番号に基づいて郵便物を区分する。これにより、郵便物の道順組立が完了される。
【０００７】
【発明が解決しようとする課題】
つまり、従来の郵便物の道順組立をする紙葉類処理装置においては、配達順番番号は区分ポケットの個数ｎである３桁のｎ進数の配達順番番号を変換していた。
【０００８】
このようにして得られた配達順番番号を用いて区分集積した場合、３回目の区分作業時に、図１１（Ｂ）に示すように紙葉類の供給数によっては、試用しない区分ポケットができたり、特定の区分ポケットに最大でｎ２  通の郵便物が集積されて、区分ポケットの満杯の原因となり、非効率的な集積となっていた。
【０００９】
本発明は上記の点に鑑みてなされたもので、その目的は、紙葉類を区分情報に従って区分する場合に、特定の区分ポケットに紙葉類が集中しないようにすることができる紙葉類処理装置を提供することにある。
【００１０】
【課題を解決するための手段】
請求項１に係る紙葉類処理装置は、供給される複数の紙葉類をｎ個の区分部に区分して集積する紙葉類処理装置において、上記複数の紙葉類を一葉づつ取出す取出し手段と、
この取出し手段で取出された紙葉類から区分情報を読取る読取手段と、この読取手段により読取られた区分情報を上記複数の紙葉類が上記ｎ個の区分部に略均等に集積されるような均等区分情報に変換する変換手段と、上記変換手段により得られた均等区分情報に基づいて上記紙葉類を所定の区分部に区分する区分手段と、上記区分情報に対する区分番号を関連づける区分指定テ−ブルを記憶する記憶手段とを具備し、上記変換手段は、上記読取手段で読取られた区分情報を上記区分指定テ−ブルを参照して得られた区分番号を上記供給された紙葉類順に判定結果テ−ブルに記憶し、この判定結果テ−ブルに記憶された区分番号の小さい順から連続的番号とする配達順番番号に変換した後上記供給された紙葉類順に配達順番テ−ブルとして記憶させ、この配達順番テ−ブルに記憶される配達順番番号を上記複数の紙葉類が上記ｎ個の区分部に略均等に集積されるように最上位桁を決定するようにしてＸ桁のｎ進数からなる上記均等区分情報に変換することを特徴とする。
【００１１】
請求項２に係る紙葉類処理装置は、供給される複数の紙葉類をｎ個の区分部に区分して集積する紙葉類処理装置において、上記複数の紙葉類を一葉づつ取出す取出し手段と、この取出し手段で取出された紙葉類から区分情報を読取る読取手段と、この読取手段により読取られた区分情報を上記複数の紙葉類が上記ｎ個の区分部に略均等に集積されるようなｎ進の均等区分情報に変換する変換手段と、上記変換手段により得られた均等区分情報に基づいて上記紙葉類を所定の区分部に区分する区分手段とを具備している。
【００１２】
請求項３に係る紙葉類処理装置は、請求項２の区分情報に対する区分番号を関連づける区分指定テ−ブルを記憶する記憶手段を備え、上記変換手段は、上記読取手段で読取られた区分情報を上記区分指定テ−ブルを参照して得られた区分番号を上記供給された紙葉類順に判定結果テ−ブルに記憶し、この判定結果テ−ブルに記憶された区分番号を上記複数の紙葉類が上記ｎ個の区分部に略均等に集積されるような均等区分情報に変換することを特徴とする。
【００１３】
請求項４に係る紙葉類処理装置は、請求項２の区分情報に対する区分番号を関連づける区分指定テ−ブルを記憶する記憶手段を備え、上記変換手段は、上記読取手段で読取られた区分情報を上記区分指定テ−ブルを参照して得られた区分番号を上記供給された紙葉類順に判定結果テ−ブルに記憶し、この判定結果テ−ブルに記憶された区分番号の小さい順から連続的番号とする配達順番番号に変換して上記供給された紙葉類順に配達順番テ−ブルとして記憶させ、その配達順番番号に基づいて上記複数の紙葉類が上記ｎ個の区分部に略均等に集積されるような均等区分情報に変換することを特徴とする。
【００１４】
請求項５に係る紙葉類処理装置は、請求項２の区分情報に対する区分番号を関連づける区分指定テ−ブルを記憶する記憶手段を備え、上記変換手段は、上記読取手段で読取られた区分情報を上記区分指定テ−ブルを参照して得られた区分番号を上記供給された紙葉類順に判定結果テ−ブルに記憶し、この判定結果テ−ブルに記憶された区分番号の小さい順から連続的番号とする配達順番番号に変換した後上記供給された紙葉類順に配達順番テ−ブルとして記憶させ、この配達順番テ−ブルに記憶される配達順番番号を上記複数の紙葉類が上記ｎ個の区分部に略均等に集積されるように最上位桁を決定するようにしてＸ桁のｎ進数からなる上記均等区分情報に変換することを特徴とする。
【００１５】
請求項６に係る紙葉類処理装置は、供給される複数の紙葉類をｎ個の区分部に区分して集積する紙葉類処理装置において、上記複数の紙葉類を一葉づつ取出す取出し手段と、この取出し手段で取出された紙葉類から区分情報を読取る読取手段と、この読取手段により得られた区分番号を紙葉類が上記ｎ個の区分部に略均等に集積されるようなｎ進の均等区分情報に変換する変換手段と、上記変換手段により得られた均等区分情報に基づいて上記紙葉類を所定の区分部に区分する区分手段と、上記取出し手段、読取手段、および区分手段を通って延びる搬送路を介して紙葉類を搬送する搬送手段とを具備している。
【００１６】
請求項７に係る紙葉類処理装置は、請求項６の区分情報に対する区分番号を関連づける区分指定テ−ブルを記憶する記憶手段を備え、上記変換手段は、上記読取手段で読取られた区分情報を上記区分指定テ−ブルを参照して得られた区分番号を上記供給された紙葉類順に判定結果テ−ブルに記憶し、この判定結果テ−ブルに記憶された区分番号を上記複数の紙葉類が上記ｎ個の区分部に略均等に集積されるような均等区分情報に変換することを特徴とする。
【００１７】
請求項８に係る紙葉類処理装置は、請求項６の区分情報に対する区分番号を関連づける区分指定テ−ブルを記憶する記憶手段を備え、上記変換手段は、上記読取手段で読取られた区分情報を上記区分指定テ−ブルを参照して得られた区分番号を上記供給された紙葉類順に判定結果テ−ブルに記憶し、この判定結果テ−ブルに記憶された区分番号の小さい順から連続的番号とする配達順番番号に変換して上記供給された紙葉類順に配達順番テ−ブルとして記憶させ、その配達順番番号に基づいて上記複数の紙葉類が上記ｎ個の区分部に略均等に集積されるような均等区分情報に変換することを特徴とする。
【００１８】
請求項９に係る紙葉類処理装置は、請求項６の区分情報に対する区分番号を関連づける区分指定テ−ブルを記憶する記憶手段を備え、上記変換手段は、上記読取手段で読取られた区分情報を上記区分指定テ−ブルを参照して得られた区分番号を上記供給された紙葉類順に判定結果テ−ブルに記憶し、この判定結果テ−ブルに記憶された区分番号の小さい順から連続的番号とする配達順番番号に変換した後上記供給された紙葉類順に配達順番テ−ブルとして記憶させ、この配達順番テ−ブルに記憶される配達順番番号を上記複数の紙葉類が上記ｎ個の区分部に略均等に集積されるように最上位桁を決定するようにしてＸ桁のｎ進数からなる上記均等区分情報に変換することを特徴とする。
【００２１】
このように本発明によれば、紙葉類を複数の区分ポケットに区分する場合に、紙葉類の区分情報に基づいて複数のポケットに均等に区分されるように配達順番番号を作成しておくようにしたので、紙葉類を区分けする場合に、必ず均等に区分けすることができる。
【００２２】
【発明の実施の形態】
以下、図面を参照しながらこの発明の紙葉類処理装置の実施の形態について詳細に説明する。尚、ここでは、郵便物の道順を組立てる道順組立機を例にとって説明する。
【００２３】
図１に示すように、この発明の第１の実施の形態に係る道順組立機１は、紙葉類としての複数（例えば１０００通）の郵便物を立位で後端を揃えて収容するとともにこれらの郵便物を所定の取出位置へ順次供給する供給手段としての供給部２を備えている。また、道順組立機１は、上記取出し位置に供給された郵便物に対向する位置に設けられ取出し手段として作用する取出し部４を備えている。そして、供給部２により取出し位置に移動された郵便物が取出し部４によりその先端方向（図中上方）に向けて一葉づつ取出されるようになっている。尚、取出し位置とは、取出し部４による紙葉類の取出しが開始される初期位置を示す。
【００２４】
供給部２に収容された郵便物は、区分情報としての通し番号（配達順番番号）が記録された面（第１面）が取出し部４に向かい、且つ郵便番号枠が上方に向くように方向付けられている。尚、配達順番番号とは、郵便物の配達先の住所に対応して予め付与された番号を言い、区分ポケットのポケット数に応じて郵便物の表面に付与されている。
【００２５】
取出し部４から後述する区分集積部に向う搬送路３（搬送手段）上には、郵便物に記録された配達順番番号を読取るための読取り手段として作用するスキャナ６と、郵便物を回転することなく郵便物の搬送方向を１８０°反転する反転手段として作用する反転機構１０と、郵便物の通過を検知することによりジャムの発生を検知するセンサ１２および１４が順に設けられている。
【００２６】
スキャナ６は、取出し部４にて取出されて搬送路３を搬送される郵便物の第１面に対向する側に設けられている。
反転機構１０は、取出し部４にて取出された郵便物の搬送方向を反転する反転部１０ａを備えている。
【００２７】
反転部１０ａは、郵便物の搬送方向を１８０°変換する方向変換部１０ｃと、方向変換部１０ｃにて方向が反転された郵便物の搬送基準を整える整位部１０ｄと、を有している。そして、通過部１０ｂは、配達順番番号が読取られた郵便物を方向変換部１０ｃを通さずに整位部１０ｄへ直接導く通過路を有している。
【００２８】
反転機構１０の下流側の搬送路３上に設けられたセンサ１２および１４の間には、スキャナ６により配達順番番号が読取れなかった郵便物を集積する排除集積部１３が設けられている。排除集積部１３には、搬送路３から分岐された搬送路１６が接続され、その分岐位置には搬送路を選択的に切換えるための切換ゲート１５が設けられている。
【００２９】
センサ１４の下流側の搬送路３上には、スキャナ６により読取られた配達順番番号に基づいて各郵便物を所定の区分ポケット２２（区分位置）へ区分する区分手段としての区分集積部２０が設けられている。
【００３０】
区分集積部２０は、例えば１３個の区分ポケット２２を有し、搬送路３に連通された区分搬送路２１が各区分ポケット２２の上方で延びている。区分搬送路２１上には各区分ポケット２２に対応する切換ゲート２４が設けられている。各切換ゲート２４は、ソレノイド等に接続されており、区分搬送路２１が配達順番番号に相当する区分ポケット２２へ選択的に連通されるようになっている。
【００３１】
区分搬送路２１の終端は、取出し部４とスキャナ６との間の搬送路３に連絡するための循環手段として作用するリサイクルパス３０が接続されており、何等かの理由で区分ポケット２２に区分されなかった郵便物がこのリサイクルパス３０を通ってスキャナ６に循環されるようになっている。尚、リサイクルパス３０の途中には、郵便物が循環されたことを検知する検知手段としてのセンサ３２が設けられている。
【００３２】
尚、上述した各搬送路３、１０ａ、１６、および２１には、複数の搬送ローラおよびガイドが設けられ、各搬送ローラには各搬送路に沿って走行される搬送ベルトが巻回されている。
【００３３】
図２に示すように、区分ポケット２２の底部には、移載手段として作用する移載機構４０が設けられている。移載機構４０は、区分集積部２０と供給部２との間に設けられ、区分ポケット２２に区分集積された全ての郵便物を順序を変えずに供給部２に移載するように作用する。
【００３４】
移載機構４０は、区分集積部２０の各区分ポケット２２毎に設けられ、区分ポケット２２の底板であって紙葉類の集積方向に沿った中央位置で分割された一対の底板４２ａ、４２ｂと、各底板４２ａ、４２ｂの分割位置から離れた端部を回動自在に支持する回転軸４４と、回転軸４４を正逆両方向に回転させる回転機構４６と、を備えている。
【００３５】
回転機構４６により回転軸４４が回転されると、底板４２ａ（代表して説明する）は、紙葉類の後端を支持する位置（図中実線で示す位置）と紙葉類の後端を支持しない位置（図中破線で示す位置）との間で選択的に回動される。従って、底板４２ａが図中破線で示す位置に回動されると、区分ポケット２２に集積された紙葉類がその自重により一斉に供給部２へ移載されるようになっている。
【００３６】
次に、上記のように構成された道順組立機１の制御系について説明する。
図３に示すように、道順組立機１の制御系は、制御手段としてのメインＣＰＵ５０を備えている。メインＣＰＵ５０には、入力インターフェース５２を介して、種々の指令を入力するためのコントロールパネル５１、搬送路３の途中に設けられ紙葉類のジャム発生を検知するセンサ１２およびセンサ１４、リサイクルパス３０に設けられたセンサ３２が接続されている。
【００３７】
さらに、ＣＰＵ５０には制御データの格納されたＲＯＭ５３ａ及び作業エリアとして用いられるＲＡＭ５３ｂが接続されている。つまり、ＲＯＭ５３ａには、図５に示す区分指定テ−ブルや、図４のフロ−チャ−トに相当するプログラムの他各種制御プログラムが記憶されている。
【００３８】
また、ＲＡＭ５３ｂには、バ−コ−ドリ−ダテ−ブル（図６）、判別結果テ−ブル（図７）、配達順番テ−ブル（図８）、配達順番情報テ−ブル（図１０）等を記憶する領域が確保されている。
【００３９】
また、ＣＰＵ５０には、出力インターフェース５４を介して、モーターコントローラ５５、およびメカコントローラ５７が接続されている。モーターコントローラ５５には、各搬送ローラを駆動するための駆動モータ５９が接続され、メカコントローラ５７には、供給部２内に設けられ紙葉類を所定の取出し位置へ一葉づつ移動させる移動機構５６と、取出し部４と、搬送路３を搬送路１６へ選択的に切換える切換ゲート１５と、区分搬送路２１を各区分ポケット２２に選択的に連通させる切換ゲート２４と、各区分ポケット２２の底板４２ａ、４２ｂを回転する回転機構４６と、が接続されている。
【００４０】
更に、ＣＰＵ５０には、入出力インターフェース５８を介してスキャナ６が接続されている。
次に、上記のように構成された本発明の一実施の形態について説明する。まず、プレ供給モ−ド処理について説明する。このプレ供給モードとは、郵便物の道順組立を開始する前に、全ての郵便物（供給数Ｎ）から予め住所情報のみを読取りこの住所情報をバッファリングするモードであり、この読取られた住所情報は、ＲＡＭ５３ｂ内に制御データとして格納される。
【００４１】
具体的には、プレ供給モ−ドにおいて、供給部２に収納された全ての郵便物は、区分情報としての住所情報が記録された面が取出部４に向かい、且つ郵便番号枠が上方に向くように付与されている。なお、この住所情報は、郵便物の配達先の住所に対応して、バ−コ−ド表示等により付与されている。
【００４２】
そして、取出部４から１枚ずつ取り出された郵便物は搬送路３を介して搬送され、搬送路３に面して設置されているスキャナ６によりバ−コ−ド表示されている住所情報が読み取られる。
【００４３】
つまり、住所情報として郵便番号コ−ド（７バイト）と住所番号コ−ド（１３バイト）を読み取られ、図６に示すバ−コ−ドリ−ダテ−ブルにＮ通の郵便物に対する郵便番号と住所番号コ−ドが供給された郵便物順にバッファリングされる。
【００４４】
このプレ供給が終了すると、バ−コ−ドリ−ダテ−ブル（図６）にバッファリングされた住所情報から最終的に前述した配達順番番号を決定する処理を行っている。配達順番番号は１２個の区分ポケット２２を有する道順組立機であれば、１２進で３桁の番号である。この３桁の配達順番番号の付与の仕方は図４のフロ−チャ−トを参照して後述する。この３桁の配達順番番号は全ての郵便物が図１１（Ａ）に示すように略均等に区分されるように決定される。
【００４５】
そして、この配達順番番号が決定されると、３回全ての郵便物を再度供給することにより並び換えを行っている。つまり、１回目の供給で配達順番番号の１桁目の数字により対応する区分ポケット２２に切分け、２回目の供給で配達順番番号の２桁目の数字により対応する区分ポケット２２に分け、３回目の供給で配達順番番号の３桁目の数字により対応する区分ポケット２２に分けている。
【００４６】
以下、配達順番番号を決定する仕方について図４のフロ−チャ−トを参照して説明する。まず、前述したプレ供給が終了すると、バ−コ−ドリ−ダテ−ブル（図６）にバッファリングされている１通目の住所情報に対応した予め設定された（整理番号，配達順）の組み合わせを図５の区分指定テ−ブルを参照して求めて、図７の判定結果テ−ブルに格納する。この判定結果テ−ブルには、バ−コ−ドリ−ダテ−ブルに書き込まれている順番と同じ順番で書き込まれる。
【００４７】
例えば、１通目の住所情報が例えば『１−１−２』であれば、整理番号＝１，配達順＝２が判定結果テ−ブルの１通目の領域に書き込まれる。また、２通目の住所情報が例えば『７−１−１』であれば、整理番号＝３，配達順＝１が判定結果テ−ブルの２通目に書き込まれる。さらに、３通目の住所情報が例えば『３−１−１』であれば、整理番号＝７，配達順＝１が判定結果テ−ブルに書き込まれる。以下、同様にして、バ−コ−ドリ−ダテ−ブルにバッファリングされているＮ通の郵便物の住所情報に対する予め設定されている整理番号，配達順が求められて判定結果テ−ブルに格納される。
【００４８】
ここで、図５の区分指定テ−ブルは全ての住所情報に対する区分番号としての整理番号，配達順が記憶されているデ−タベ−スである。しかも供給される郵便物はランダムに供給されているために、判定結果テ−ブルに書き込まれた（整理番号，配達順）の組み合わせは、ランダムな組み合わせとなっている。
【００４９】
そこで、これらの（整理番号，配達順）の組み合わせを番号の若い順に１〜Ｎまでリナンバする処理を行う。つまり、整理番号が異なる場合には、整理番号が小さい順に若い番号がリナンバされ、同じ整理番号であれば、配達順が小さい順から若い番号がリナンバされる。
【００５０】
このようにして、リナンバした配達順番番号１〜Ｎをプレ供給時の順番で図８の配達順番テ−ブルに書き込む。この配達順番番号は供給順番に対応して１０進数で記載されたＮまでの数値である。
【００５１】
次に、図８の配達順番テ−ブルに格納された配達順番番号より図１０の配達順番情報テ−ブルに書き込む３桁の均等区分情報としての配達順番番号に変換する動作を図４のフロ−チャ−トを参照して説明する。この均等区分情報とは、この３桁の配達順番番号を用いると、全ての郵便物を道順組立機１に３回供給することにより、区分ポケット２２に均等に郵便物を区分できることを意味して均等という文字を入れている。
【００５２】
図４において、まず、郵便物の供給数Ｎを１２で除算する（ステップＳ１）。つまり、供給数Ｎを区分ポケット２２の数『１２』で除算している。
そして、ステップＳ１の除算の結果、商がｍで、余りをｎしたとき、『ｎ＝０』であるかを判定する（ステップＳ２）。このステップＳ２の判定で「ＮＯ」と判定された場合に、配達順番の若い方からｍ＋１通毎に３桁目の値、つまり行き先の区分ポケット番号を付けていくと、各区分ポケット２２には均等に郵便物が集積されることになる。
【００５３】
次に、ｍ←ｍ＋１を代入する（ステップＳ３）。そして、Ｎ１  通目の配達順番をＡとすると、Ａをｍで除算する（ステップＳ４）。そして、この時の、商をａ、余りをｂとすると、ａの１２進数が３桁目の値となる（ステップＳ５）。
【００５４】
次に、Ａを１２進数に変換し、その１２進数の１桁目及び２桁目を算出する（ステップＳ６）。
次に、ステップＳ５及びＳ６で求めた３桁及び１桁，２桁の数字を図１０に配達順番情報テ−ブルに格納させる（ステップＳ７）。この配達順番テ−ブルは桁毎に１〜Ｎ通目の１〜３桁目の番号が格納されている。
【００５５】
このように、配達順番番号を付けることにより図９に示すように、各区分ポケット２２にはｍ通ずつの郵便物が集積される。
以上のようにして、図１０の配達順番番号テ−ブルが完成したが、この配達順番番号テ−ブルを用いてＮ通の郵便物を区分ポケット２２に区分けする作業について説明する。
【００５６】
まず、１回目の供給において、供給部２の移動機構５６により、供給部２内に収容された複数部（例えば１０００通）の郵便物が所定の取出し位置へ一葉づつ供給される。取出し位置へ供給された郵便物は、取出し部４により取出されて搬送路３上を搬送される。そして、郵便物は、搬送路３の一側、即ち搬送される郵便物に対向する側に設けられたスキャナ６に導かれ、このスキャナ６により、その面に記録されたバ−コ−ド表示されている住所情報が読み取られる。そして、このスキャナ６で読み取られた住所情報とプレ供給時にバッファリングした図６のバ−コ−ドリ−ダテ−ブルの住所情報と一致するものが何通目の郵便物であるかを判断し、図１０の配達順番情報テ−ブルをサ−チして対応する配達順番番号の１桁目を読み込む。
【００５７】
スキャナ６で読み取られた住所情報に対応する配達順番番号の１桁目が読取られた郵便物は、切換ゲート１１により案内されて反転部１０ａに導かれ、方向変換部１０ｃによりその搬送方向が１８０°変換される。このように反転された郵便物は、整位部１０ｄにおいて搬送基準が整えられた後搬送され、センサ１２および１４を通過されて区分集積部２０へ導かれる。
【００５８】
この際、スキャナ６によって配達順番番号の読取りが不能となった郵便物は、切換ゲート１５により案内されて排除集積部１３へ排除される。排除された郵便物は、３回の区分動作が終了するまで再度の供給がなされない。排除集積部１３内の郵便物は、これらの区分動作が終了した後、人手によって所定の区分ポケット２２に区分されることとなる。
【００５９】
区分集積部２０へ導かれた郵便物は、区分搬送路２１を介して搬送され、スキャナ６により読取られた配達順番番号に基づいて所定の区分ポケット２２へ区分集積される。つまり、スキャナ６により読取られた配達順番番号に対応した区分ポケット２２に連通する切換ゲート２４が切換えられ、区分搬送路２１が所定の区分ポケット２２に連通されて郵便物が所定の区分ポケット２２へ区分集積される。
【００６０】
上述のように全ての郵便物の１回目の区分動作が終了されると、移載機構４０の回転機構４６により各区分ポケット２２の底板４２ａ、４２ｂが図中破線位置へ回動され、各区分ポケット２２内の郵便物がその順序を変えずに供給部２へ移載され、２回目の供給に備える。
【００６１】
そして、２回目の供給において、上述した１回目の供給と同様に、郵便物がスキャナ６に導かれ、同様にして配達順番番号の２桁目が読取られ、この番号に基づいて郵便物が区分集積される。２回目の区分動作が終了されると、３回目の供給に備えて全ての郵便物が移載機構４０により供給部２へ移載される。
【００６２】
最後に、上述した１回目および２回目の区分動作と同様に３回目の区分動作が実行され、配達順番番号の３桁目に従って全ての郵便物が所定の区分ポケットへ区分集積される。これにより、全ての郵便物が配達順番番号順に並べ換えられ、郵便物の区分動作が終了される。
【００６３】
つまり、３桁目の配達順番番号は図４のフロ−チャ−トの説明で述べたとおり、１２個の区分ポケット２２の均等に郵便物が区分けされるように、設定してあるので、全ての郵便物を区分動作が終了すると、図１１（Ａ）に示すように郵便物は均等に区分される。従って、特定の区分ポケットが満杯となって郵便物の区分業務が停滞することを防止することができる。
【００６４】
なお、上記した実施の形態では、道順組立機１で郵便物を１２箇の区分ポケット２２に区分けするため、図４のフロ−チャ−トでステップＳ１の処理では供給数Ｎを『１２』で除算するようにしたが、郵便物をｎ個の区分ポケット２２に区分する場合には、郵便物の供給数Ｎをｎで除算するようにすれば良い。さらに、図１０の配達順番情報テ−ブルに格納される配達順番番号もｎ進の数字となる。さらに、上記実施の形態では３桁の配達順番番号を付したが供給数Ｎがおおくなれば、Ｘ桁で配達順番番号を付与することも同様に行うことができる。
【００６５】
【発明の効果】
以上詳述したように本発明によれば、紙葉類を複数の区分ポケットに区分する場合に、紙葉類の区分情報に基づいて複数のポケットに均等に区分されるように配達順番番号を作成しておくようにしたので、紙葉類を区分けする場合に、必ず均等に区分けすることができる。
【図面の簡単な説明】
【図１】本発明の一実施の形態に係る道順組立機を示す概略図。
【図２】図１の道順組立機に組込まれた移載機構およびその周辺機器を示す斜視図。
【図３】図１の道順組立機の制御系を示すブロック図。
【図４】一実施の形態の動作を説明するためのフロ−チャ−ト。
【図５】区分指定テ−ブルを示す図。
【図６】バ−コ−ドリ−ダテ−ブルを示す図。
【図７】判別結果テ−ブルを示す図。
【図８】配達順番テ−ブルを示す図。
【図９】配達順番情報テ−ブルの記憶されている番号の内容を説明するための図。
【図１０】配達順番情報テ−ブルを示す図。
【図１１】郵便物が区分ポケットに区分された状態を示す図。
【符号の説明】
１…道順組立機、２…供給部、３…搬送路、４…取出し部、１０…反転機構、１０ａ…反転部、１２，１４…センサ、１３…排除集積部、２０…区分集積部、２２…区分ポケット、５３ａ…ＲＯＭ、５３ｂ…ＲＡＭ。
【図１】
0003557013.tif 000002
【図２】
0003557013.tif 000003
【図３】
0003557013.tif 000004
【図４】
0003557013.tif 000005
【図５】
0003557013.tif 000006
【図６】
0003557013.tif 000007
【図７】
0003557013.tif 000008
【図８】
0003557013.tif 000009
【図９】
0003557013.tif 000010
【図１０】
0003557013.tif 000011
【図１１】
0003557013.tif 000012